【手続補正書】
【提出日】平成24年6月13日(2012.6.13)
【手続補正１】
【補正対象書類名】明細書
【補正対象項目名】０００６
【補正方法】変更
【補正の内容】
【０００６】
前記課題を解決するために、請求項１に記載のネイルプリント装置は、
印刷を行おうとする爪に対応する指が印刷指として挿入される印刷指挿入部と、
前記印刷指挿入部の下方側に設けられ、印刷を行なわない指が非印刷指として挿入される非印刷指挿入部と、
前記印刷指挿入部と前記非印刷指挿入部との間に設けられ、且つ、前記印刷指挿入部に挿入された前記印刷指と前記非印刷指挿入部に挿入された前記非印刷指とで挟持可能な掴み部と、
前記印刷指挿入部に挿入された前記印刷指の爪にインクを塗布する印刷ヘッドを有する印刷部と、を備え、
前記掴み部は、
前記印刷指挿入部に前記印刷指を有する左右の手が第１の方向に沿って同時に挿入された状態で、前記左右の手の一方の第１の手の前記印刷指と前記非印刷指とで挟持可能な第１の指位置決め部と、
前記左右の手の他方の第２の手の前記印刷指と前記非印刷指とで挟持可能な第２の指位置決め部と、を備え、
前記第１の指位置決め部の前記印刷指と前記非印刷指とで挟持される側の端部は、前記第２の指位置決め部の前記印刷指と前記非印刷指とで挟持される側の端部に対し、前記第１の方向に沿って、前記手が挿入される方向の手前側にずれた位置に設けられていることを特徴としている。
【手続補正２】
【補正対象書類名】明細書
【補正対象項目名】０００７
【補正方法】変更
【補正の内容】
【０００７】
また、請求項２に記載の発明は、請求項１に記載のネイルプリント装置において、
前記第１の指位置決め部は、前記掴み部の前記第１の方向に直交する第２の方向に沿った幅方向の中央部に位置し、この第１の指位置決め部の前記幅方向に沿った左右両側に前記第２の指位置決め部が配置されていることを特徴としている。
【手続補正３】
【補正対象書類名】明細書
【補正対象項目名】０００８
【補正方法】変更
【補正の内容】
【０００８】
また、請求項３に記載の発明は、請求項１又は請求項２に記載のネイルプリント装置において、
前記第１の指位置決め部は、前記印刷指挿入部に挿入された前記第１の手の人差し指から小指までの４つの指と、前記非印刷指挿入部に挿入された前記第１の手の他の指とに挟持可能に設けられ、前記第１の方向に直交する第２の方向に沿った幅方向の寸法が、前記印刷指挿入部に挿入される前記第１の手の人差し指から小指までの４つの指の左右幅の寸法よりも短い寸法に形成されていることを特徴としている。
【手続補正４】
【補正対象書類名】明細書
【補正対象項目名】０００９
【補正方法】変更
【補正の内容】
【０００９】
また、請求項４に記載の発明は、請求項１から請求項３のいずれか一項に記載のネイルプリント装置において、
前記第２の指位置決め部は、前記印刷指挿入部に挿入された前記第２の手の親指と、前記非印刷指挿入部に挿入された前記第２の手の他の指とに挟持可能に設けられ、前記印刷指挿入部に挿入される前記第２の手の親指の付け根に沿うように平面視湾曲形状に形成されていることを特徴としている。
【手続補正５】
【補正対象書類名】明細書
【補正対象項目名】００１０
【補正方法】変更
【補正の内容】
【００１０】
また、請求項５に記載の発明は、請求項１から請求項４のいずれか一項に記載のネイルプリント装置において、
前記掴み部は、前記第１の方向に直交する第２の方向に沿った幅方向の両端部に前記第２の指位置決め部を有する掴み部本体と、この掴み部本体の幅方向の中央部に設けられ、当該掴み部本体から、前記第１の方向に沿って、前記印刷指挿入部へ前記手が挿入される方向の手前側に引き出し可能に設けられた引き出し板と、を備え、
前記引き出し板は、前記掴み部本体から引き出された状態において前記第１の指位置決め部を構成することを特徴としている。
【手続補正６】
【補正対象書類名】明細書
【補正対象項目名】００１１
【補正方法】変更
【補正の内容】
【００１１】
また、請求項６に記載の発明は、請求項１から請求項４のいずれか一項に記載のネイルプリント装置において、
前記掴み部は、前記第１の方向に直交する第２の方向に沿った幅方向の両端部に前記第２の指位置決め部を有する掴み部本体と、この掴み部本体の幅方向の中央部の端部に、当該掴み部本体の前記印刷指挿入部へ前記手が挿入される方向の手前側に延出する延出状態から前記掴み部本体と重なり合う重畳状態まで回動可能に構成された回動板と、を備え、
前記回動板は、前記延出状態において前記第１の指位置決め部を構成することを特徴としている。
【手続補正７】
【補正対象書類名】明細書
【補正対象項目名】００１２
【補正方法】変更
【補正の内容】
【００１２】
また、請求項７に記載の発明は、請求項１から請求項６のいずれか一項に記載のネイルプリント装置において、
前記印刷部による印刷開始指示を入力する印刷開始指示手段と、
この印刷開始指示手段から印刷開始指示が入力されてから、予め定められている時間経過後に印刷処理を開始するように前記印刷手段を制御する印刷制御手段と、を備えていることを特徴としている。
【手続補正８】
【補正対象書類名】明細書
【補正対象項目名】００４５
【補正方法】変更
【補正の内容】
【００４５】
右手の親指以外の４本の指（人差し指から小指）の爪Ｔａと左手の親指の爪Ｔｂに印刷を施す場合には、右手の親指以外の４本の指（印刷指Ｕ１）を印刷指挿入部２０ａに挿入して第１の指位置決め部２０１により位置決めする。また、左手の親指（印刷指Ｕ１）を印刷指挿入部２０ａに挿入して、掴み部２０ｃにおける第１の指位置決め部２０１の左側に配置された第２の指位置決め部２０２により位置決めする。その他の点は上記の場合と同様であるため、説明を省略する。
【手続補正９】
【補正対象書類名】明細書
【補正対象項目名】００６２
【補正方法】変更
【補正の内容】
【００６２】
図１２（ａ）及び図１３（ａ）は、第１の指位置決め部２２１及び第２の指位置決め部２２２を有する掴み部２０ｃの側断面図であり、図１２（ｂ）及び図１３（ｂ）は、図１２（ａ）及び図１３（ａ）に示す掴み部２０ｃをそれぞれ上方から見た平面図である。
本実施形態において、掴み部２０ｃは、その幅方向の両端部に第２の指位置決め部２２２を有する掴み部本体２５０と、この掴み部本体２５０の幅方向のほぼ中央部にこの掴み部本体２５０に対して印刷指挿入部２０ａへの印刷指Ｕ１の挿入方向Ｙの手前側に引き出し可能に設けられた引き出し板２６０とを備えている。
【手続補正１０】
【補正対象書類名】特許請求の範囲
【補正対象項目名】全文
【補正方法】変更
【補正の内容】
【特許請求の範囲】
【請求項１】
印刷を行おうとする爪に対応する指が印刷指として挿入される印刷指挿入部と、
前記印刷指挿入部の下方側に設けられ、印刷を行なわない指が非印刷指として挿入される非印刷指挿入部と、
前記印刷指挿入部と前記非印刷指挿入部との間に設けられ、且つ、前記印刷指挿入部に挿入された前記印刷指と前記非印刷指挿入部に挿入された前記非印刷指とで挟持可能な掴み部と、
前記印刷指挿入部に挿入された前記印刷指の爪にインクを塗布する印刷ヘッドを有する印刷部と、を備え、
前記掴み部は、
前記印刷指挿入部に前記印刷指を有する左右の手が第１の方向に沿って同時に挿入された状態で、前記左右の手の一方の第１の手の前記印刷指と前記非印刷指とで挟持可能な第１の指位置決め部と、
前記左右の手の他方の第２の手の前記印刷指と前記非印刷指とで挟持可能な第２の指位置決め部と、を備え、
前記第１の指位置決め部の前記印刷指と前記非印刷指とで挟持される側の端部は、前記第２の指位置決め部の前記印刷指と前記非印刷指とで挟持される側の端部に対し、前記第１の方向に沿って、前記手が挿入される方向の手前側にずれた位置に設けられていることを特徴とするネイルプリント装置。
【請求項２】
前記第１の指位置決め部は、前記掴み部の前記第１の方向に直交する第２の方向に沿った幅方向の中央部に位置し、この第１の指位置決め部の前記幅方向に沿った左右両側に前記第２の指位置決め部が配置されていることを特徴とする請求項１に記載のネイルプリント装置。
【請求項３】
前記第１の指位置決め部は、前記印刷指挿入部に挿入された前記第１の手の人差し指から小指までの４つの指と、前記非印刷指挿入部に挿入された前記第１の手の他の指とに挟持可能に設けられ、前記第１の方向に直交する第２の方向に沿った幅方向の寸法が、前記印刷指挿入部に挿入される前記第１の手の人差し指から小指までの４つの指の左右幅の寸法よりも短い寸法に形成されていることを特徴とする請求項１又は請求項２に記載のネイルプリント装置。
【請求項４】
前記第２の指位置決め部は、前記印刷指挿入部に挿入された前記第２の手の親指と、前記非印刷指挿入部に挿入された前記第２の手の他の指とに挟持可能に設けられ、前記印刷指挿入部に挿入される前記第２の手の親指の付け根に沿うように平面視湾曲形状に形成されていることを特徴とする請求項１から請求項３のいずれか一項に記載のネイルプリント装置。
【請求項５】
前記掴み部は、前記第１の方向に直交する第２の方向に沿った幅方向の両端部に前記第２の指位置決め部を有する掴み部本体と、この掴み部本体の幅方向の中央部に設けられ、当該掴み部本体から、前記第１の方向に沿って、前記印刷指挿入部へ前記手が挿入される方向の手前側に引き出し可能に設けられた引き出し板と、を備え、
前記引き出し板は、前記掴み部本体から引き出された状態において前記第１の指位置決め部を構成することを特徴とする請求項１から請求項４のいずれか一項に記載のネイルプリント装置。
【請求項６】
前記掴み部は、前記第１の方向に直交する第２の方向に沿った幅方向の両端部に前記第２の指位置決め部を有する掴み部本体と、この掴み部本体の幅方向の中央部の端部に、当該掴み部本体の前記印刷指挿入部へ前記手が挿入される方向の手前側に延出する延出状態から前記掴み部本体と重なり合う重畳状態まで回動可能に構成された回動板と、を備え、
前記回動板は、前記延出状態において前記第１の指位置決め部を構成することを特徴とする請求項１から請求項４のいずれか一項に記載のネイルプリント装置。
【請求項７】
前記印刷部による印刷開始指示を入力する印刷開始指示手段と、
この印刷開始指示手段から印刷開始指示が入力されてから、予め定められている時間経過後に印刷処理を開始するように前記印刷手段を制御する印刷制御手段と、を備えていることを特徴とする請求項１から請求項６のいずれか一項に記載のネイルプリント装置。